(57)【要約】【課題】非稼働状態において、音声信号を出力するデバイスが接続され、かつ音声信号が入力されている場合に音声出力機能を動作させることで、無駄な電力の消費を発生させないようにする。【解決手段】スピーカを有する電子機器において、音声信号を出力する外部機器を接続するための端子と、前記端子から入力される前記音声信号を検出する検出手段と、前記外部機器が前記端子に接続されているかを判定する判定手段と、前記端子から入力された音声信号を増幅して前記スピーカから音声を出力させるアンプと、前記アンプに対して電源供給するための電源回路と、前記電子機器が非稼働状態にある時に、前記判定手段により前記外部機器が前記端子に接続されていることが判定され、かつ前記検出手段により前記音声信号が入力されていることが検出された場合に、前記電源回路により前記アンプに対して電源供給するように制御する制御手段とを具備する。【選択図】図１
2011233973.tif 000002
【特許請求の範囲】
【請求項１】
スピーカを有する電子機器において、
音声信号を出力する外部機器を接続するための端子と、
前記端子に接続部材が接続されたことを検出する第１検出手段と、
前記端子を介して前記音声信号が入力されていることを検出する第２検出手段と、
前記端子を介して入力された音声信号を増幅して前記スピーカから音声を出力させるアンプと、
前記アンプに対して電源供給するための電源回路と、
前記電子機器が非稼働状態にある時に、前記第１検出手段により前記端子に接続部材が接続されたことが検出され、かつ前記第２検出手段により前記音声信号が入力されていることが検出された場合に、前記電源回路により前記アンプに対して電源供給するように制御する制御手段と
を具備したことを特徴とする電子機器。
【請求項２】
前記第２検出手段は、さらに、前記外部機器が前記端子に接続されているかを、前記端子とグランド間のインピーダンスをもとに検出することを特徴とする請求項１記載の電子機器。
【請求項３】
前記第２検出手段は、前記音声信号が予め決められたレベル以上である場合に、前記音声信号が入力されていると判定することを特徴とする請求項１記載の電子機器。
【請求項４】
前記第２検出手段は、前記音声信号のレベルが、一定時間以上、前記レベル未満となっている場合に、前記音声信号が入力されていないと判定することを特徴とする請求項３記載の電子機器。
【請求項５】
前記制御手段は、前記第１検出手段と前記第２検出手段とを含み、前記電子機器が非稼働状態にある時に、前記電源回路により電源供給されることを特徴とする請求項１記載の電子機器。
【発明の詳細な説明】
【技術分野】
【０００１】
本発明の実施形態は、スピーカを有する電子機器に関する。
【背景技術】
【０００２】
従来、外部からの音声信号を入力する端子にプラグの挿抜検知があった場合に、そのプラグの挿抜を有効なトリガーとして各処理を実行可能とするＡＶ装置が知られている。この従来のＡＶ装置は、例えばモバイルオーディオ端子にプラグが挿入された場合には、モバイルオーディオから入力される音声信号をＡＶ装置の音声出力信号として出力することができる。
【先行技術文献】
【特許文献】
【０００３】
【特許文献１】特開２００２−１７８６１０号公報
【発明の概要】
【発明が解決しようとする課題】
【０００４】
従来のＡＶ装置（例えばテレビ装置）は、映像や音声を出力可能な通常の稼働状態において、モバイルオーディオ端子にプラグが挿入された場合に、モバイルオーディオからの音声を出力することができるものであって、電源オフされている非稼働状態においてモバイルオーディオからの音声を出力することができなかった。
【０００５】
また、従来のＡＶ装置は、モバイルオーディオ端子にプラグが挿入されたことを、ユーザからの入力ソースの変更を示す意志表示として判別して音声出力機能を動作させていた。このため、単にプラグが挿入されただけで音声出力機能を動作させてしまい、無駄な電力の消費を発生させてしまう可能性があった。
【０００６】
発明の目的は、非稼働状態において、音声信号を出力するデバイスが接続され、かつ音声信号が入力されている場合に音声出力機能を動作させることで、無駄な電力の消費を発生させないようにすることにある。
【課題を解決するための手段】
【０００７】
実施形態によれば、スピーカを有する電子機器において、音声信号を出力する外部機器を接続するための端子と、前記端子に接続部材が接続されたことを検出する第１検出手段と、前記端子を介して前記音声信号が入力されていることを検出する第２検出手段と、前記端子を介して入力された音声信号を増幅して前記スピーカから音声を出力させるアンプと、前記アンプに対して電源供給するための電源回路と、前記電子機器が非稼働状態にある時に、前記第１検出手段により前記端子に接続部材が接続されたことが検出され、かつ前記第２検出手段により前記音声信号が入力されていることが検出された場合に、前記電源回路により前記アンプに対して電源供給するように制御する制御手段とを具備したことを特徴とする。
【図面の簡単な説明】
【０００８】
【図１】本実施形態における電子機器の構成を示す外観図。
【図２】本実施形態におけるパーソナルコンピュータのシステム構成について示すブロック図。
【図３】本実施形態における判定回路から出力されるステータス信号と音声出力機能のオン／オフとの関係を示す図。
【図４】本実施形態におけるＥＣ／ＫＢＣにおいて監視処理を実行する場合の動作を示すフローチャート。
【発明を実施するための形態】
【０００９】
以下、図面を参照して、実施形態を説明する。  
図１は、本実施形態における電子機器の構成を示す外観図である。この電子機器は、例えば、ノートブック型の携帯型パーソナルコンピュータ１０として実現されている。本実施形態におけるパーソナルコンピュータ１０は、非稼働状態の時に、ラインアウト付き外部機器（例えば、携帯型のオーディオプレーヤ２５）から出力されたアナログ音声信号を入力して、筐体に実装されたスピーカ１８から出力させる音声出力機能（スリープ＆ミュージック機能）を有している。
【００１０】
オーディオプレーヤ２５からの出力を直接スピーカに接続した場合、オーディオプレーヤ２５の出力がスピーカの能力に比べて小さいため、十分な音量の音声を出力することができない。本実施形態におけるパーソナルコンピュータ１０に設けられた音声出力機能は、パーソナルコンピュータ１０が非稼働状態にある場合でも、内蔵された音声信号増幅のためのアンプに電源を供給して、オーディオプレーヤ２５からの音声信号を増幅してスピーカ１８から出力させることができる。
【００１１】
なお、パーソナルコンピュータ１０の非稼働状態とは、例えば電源オフ状態（シャットダウン）（システムステートＳ５）の他、スタンバイ／スリープ／サスペンド（システムステートＳ３）、ハイバネーション（休止状態）（システムステートＳ４）と称される状態を含むものとする。すなわち、非稼働状態は、プロセッサ（ＣＰＵ３０）が動作していない状態である。なお、電源オン状態は、システムステートＳ０である。
【００１２】
本実施形態におけるパーソナルコンピュータ１０は、オーディオプレーヤ２５の接続の有無、及びオーディオプレーヤ２５から出力されるオーディオ信号の有無に基づいて、非稼働状態においてもオーディオプレーヤ２５から出力されたアナログ音声信号に応じた音声をスピーカから出力できるように制御する。
【００１３】
図１は、パーソナルコンピュータ１０のディスプレイユニットを開いた状態における斜視図である。パーソナルコンピュータ１０は、コンピュータ本体１１と、ディスプレイユニット１２とから構成されている。ディスプレイユニット１２には、ＬＣＤ（Liquid Crystal Display）１７から構成される表示装置が組み込まれており、そのＬＣＤ１７の表示画面はディスプレイユニット１２のほぼ中央に位置されている。
【００１４】
ディスプレイユニット１２は、コンピュータ本体１１に対して開放位置と閉塞位置との間を、ヒンジ機構２１により回動自在に取り付けられている。コンピュータ本体１１は、バッテリが取り外し自在に装着可能な薄い箱形の筐体を有している。
【００１５】
コンピュータ本体１１の上面には、キーボード１３、パワーオン／オフするためのパワーボタンスイッチ１４、汎用ハードウェアボタン１５、タッチパッド１６、スピーカ１８などが配置されている。
【００１６】
コンピュータ本体１１の側面には、オーディオプレーヤ２５から出力されたアナログ音声信号を入力するためのラインイン端子１９（ジャック）が設けられている。ラインイン端子１９には、オーディオプレーヤ２５のラインアウト端子と接続されたケーブル２６を、プラグ２７により接続することができる。
【００１７】
次に、図２を参照して、本実施形態におけるパーソナルコンピュータ１０のシステム構成について説明する。
【００１８】
パーソナルコンピュータ１０は、図２に示すように、ＣＰＵ３０、ＭＣＨ３１（ノースブリッジ）、メインメモリ３２、表示コントローラ３５、ＩＣＨ４０（サウスブリッジ）、ハードディスクドライブ（ＨＤＤ）４１、ＢＩＯＳ−ＲＯＭ４２、エンベデッドコントローラ／キーボードコントローラＩＣ（ＥＣ／ＫＢＣ）４５、電源回路４６等を備えている。
【００１９】
ＣＰＵ３０は、パーソナルコンピュータ１０の動作を制御するために設けられたプロセッサであり、ＨＤＤ４１からメインメモリ３２にロードされる、オペレーティングシステム（ＯＳ）、各種ハードウェアを制御するドライバ、および各種アプリケーションプログラム等を実行する。さらに、ＣＰＵ３０は、ＢＩＯＳ−ＲＯＭ４２に格納されたシステムＢＩＯＳ（Basic Input Output System）も実行する。システムＢＩＯＳはハードウェア制御のためのプログラムである。
【００２０】
ＭＣＨ３１は、ＣＰＵ３０のローカルバスとＩＣＨ４０との間を接続するブリッジデバイスである。ＭＣＨ３１には、メインメモリ３２をアクセス制御するメモリコントローラも内蔵されている。
【００２１】
表示コントローラ３５は、パーソナルコンピュータ１０のディスプレイモニタとして使用されるＬＣＤ１７を制御する。表示コントローラ３５は、ＭＣＨ３１を介してＣＰＵ３０から送信される描画要求に基づいてビデオメモリ（ＶＲＡＭ）にフレーム群を描画するための表示処理（グラフィクス演算処理）を実行する。
【００２２】
ＩＣＨ４０は、ＨＤＤ４１および光ディスクドライブ（図示せず）を制御するためのＩＤＥ（Integrated Drive Electronics）コントローラやSerial ATAコントローラを内蔵している。
【００２３】
エンベデッドコントローラ／キーボードコントローラＩＣ（ＥＣ／ＫＢＣ）４５は、電力管理のためのエンベデッドコントローラと、キーボード（ＫＢ）１３、タッチパッド１６、及び汎用ハードウェアボタン１８を制御するためのキーボードコントローラとが集積された１チップマイクロコンピュータである。
【００２４】
ＥＣ／ＫＢＣ４５は、ユーザによるパワーボタンスイッチ１４の操作に応じて電源回路４６を制御し、パーソナルコンピュータ１０をパワーオン／パワーオフする機能を有している。パーソナルコンピュータ１０のパワーオン／パワーオフの制御は、ＥＣ／ＫＢＣ４５と電源回路４６との共同動作によって実行される。また、ＥＣ／ＫＢＣ４５は、パーソナルコンピュータ１０が非稼働状態（電源オフ状態）の場合を含む何れのシステムステートにある場合でも電源回路４６から電源供給されるモジュールであり、パーソナルコンピュータ１０が非稼働時に使用される音声出力機能（スリープ＆ミュージック機能）を制御するためのコントローラとして使用される。なお、ＥＣ／ＫＢＣ４５の他に電源オフ状態において動作可能なコントローラが実装されていれば、このコントローラによって音声出力機能を制御するようにしても良い。
【００２５】
電源回路４６は、コンピュータ本体１１に装着されたバッテリ４７、またはＡＣアダプタ４８を介して接続された外部電源から電源供給を受けて、各コンポーネントへの動作電源を生成して供給する。電源回路４６には、電源マイコンが設けられている。電源マイコンは、各コンポーネントとバッテリに対する電源供給（充放電）や、バッテリの充電状態を監視する。
【００２６】
電源回路４６は、ＥＣ／ＫＢＣ４５による、パーソナルコンピュータ１０のシステムステートに応じた制御によって、各モジュールへの電源供給のオン／オフを制御する。本実施形態における電源回路４６は、パーソナルコンピュータ１０が非稼働時（システムステートＳ３，Ｓ４，Ｓ５）において、音声出力機能（スリープ＆ミュージック機能）を動作させるために、音声出力機能に関係する各モジュールに電源供給するための電源系が設けられている。この電源系により、パーソナルコンピュータ１０が非稼働状態においても、アナログ音声信号を処理するアナログスイッチ５３及びスピーカアンプ５４、音声出力機能のオン／オフを制御するための検出回路５５及び判定回路５６に対して電源供給される。
【００２７】
オーディオコーデック５０は、ＩＣＨ４０を通じて入力されるデジタルオーディオデータをアナログ音声信号に変換すると共に、ＯＳやデバイスドライバ、音声再生プログラム等の制御による音量あるいは音質（音響効果）等の調整をしてアナログスイッチ５３に出力する。また、オーディオコーデック５０は、パーソナルコンピュータ１０が稼働時にある場合には、同様にして、ラインイン端子１９を介して入力されたオーディオプレーヤ２５からのアナログ音声信号の音量調整等の信号処理をしてアナログスイッチ５３に出力する。
【００２８】
アナログスイッチ５３は、ＥＣ／ＫＢＣ４５からのセレクト信号Ｃ２に応じて、オーディオコーデック５０側あるいは検出回路５５側の何れかの経路に切り替える。アナログスイッチ５３は、ＥＣ／ＫＢＣ４５の制御により、パーソナルコンピュータ１０が稼働時には、オーディオコーデック５０側に切り替えられ、非稼働時に音声出力機能が有効である場合に、オーディオコーデック５０を検出回路５５側に切り替えられる。
【００２９】
スピーカアンプ５４は、アナログスイッチ５３を介して入力されるアナログ音声信号を増幅し、スピーカ１８から音声信号に応じた音声を出力させる。スピーカアンプ５４は、ＥＣ／ＫＢＣ４５からのミュート信号Ｃ３に応じて、音声のミュート／ミュート解除を切り替えることができる。
【００３０】
なお、ラインイン端子１９には、スイッチ５２（あるいはセンサ）が内蔵されている。スイッチ５２は、ラインイン端子１９にケーブル２６を接続するためのプラグ２７（接続部材）の挿入によってオン／オフが切り替えられ、オン／オフの状態に応じた検出信号を判定回路５６に出力する。
【００３１】
検出回路５５は、ラインイン端子１９とオーディオコーデック５０との間に設けられている。検出回路５５は、ラインイン端子１９を介して、オーディオ信号が入力されていることを検出する。検出回路５５は、ラインイン端子１９から入力されたオーディオ信号が、例えば予め決められたレベル以上であるかに応じて、オーディオ信号が入力されているかを判定する。検出回路５５は、オーディオ信号が予め決められた設定レベル以上であり、オーディオ信号が入力されていると判定した後、オーディオ信号が、予め決められた一定時間以上、設定レベル未満となった場合に、オーディオ信号が入力されていない（例えば、オーディオプレーヤ２５においてオンが等の再生が停止された）と判定する。
【００３２】
また、検出回路５５は、外部機器（オーディオプレーヤ２５）がラインイン端子１９を介して接続されているかを、ラインイン端子１９とグランド間のインピーダンスをもとに検出する。検出回路５５は、外部機器（オーディオプレーヤ２５）が接続されているか否かの検出結果とオーディオ信号が入力されているか否かの検出結果に応じた検出信号を判定回路５６に出力する。
【００３３】
判定回路５６は、例えばゲートＩＣにより構成されるもので、ラインイン端子１９からの検出信号に応じて、ラインイン端子１９にプラグ２７が接続されたことを検出する。判定回路５６は、ラインイン端子１９からの検出信号と検出回路５５からの検出信号に応じて、音声出力機能のオン／オフを制御するステータス信号Ｃ１をＥＣ／ＫＢＣ４５に出力する。
【００３４】
なお、検出回路５５及び判定回路５６には、非稼働状態において音声出力機能のオン／オフを制御するための信号を出力するために、ＥＣ／ＫＢＣ４５と同様にして、何れのシステムステートおいても電源供給がオンされているものとする。
【００３５】
図３は、判定回路５６から出力されるステータス信号Ｃ１と音声出力機能のオン／オフ（スピーカアンプ５４への電源供給のオン／オフ）との関係を示す図である。  
検出回路５５は、ラインイン端子１９に挿入されたプラグ２７の先に外部機器が接続されているか否かを検出すると同時に、ラインイン端子１９から入力されるオーディオ信号を検出して結果を通知する。検出回路５５は、通知結果を示す検出信号として、例えば、ケーブルの先にデバイスが有り、かつ、オーディオ信号がある場合にはＬｏｗ信号を出力し、それ以外の場合はＨｉｇｈ信号を出力する。
【００３６】
判定回路５６は、検出回路５５からの検出信号とラインイン端子１９に内蔵されたスイッチ５２の信号状態に応じてステータス信号Ｃ１をＥＣ／ＫＢＣ４５へ出力する。
【００３７】
判定回路５６から出力されるステータス信号Ｃ１は、ラインイン端子１９にプラグ２７が挿入され、プラグ２７を介したケーブル２６の先に外部機器（オーディオプレーヤ２５）が接続されており、かつ、オーディオ信号が検出された場合のみＬｏｗ信号となり、それ以外のときはＨｉｇｈ信号となる。ＥＣ／ＫＢＣ４５は、ステータス信号Ｃ１がＬｏｗであることを検出した後、電源回路４６からスピーカアンプ５４への電源供給をオンにする。
【００３８】
次に、本実施形態におけるパーソナルコンピュータ１０の動作について説明する。  
パーソナルコンピュータ１０は、非稼働状態にある場合（システムステートＳ３，Ｓ４，Ｓ５）、ＥＣ／ＫＢＣ４５により監視処理を実行させる。ＥＣ／ＫＢＣ４５は、非稼働時においても電源供給されており、パワーボタンスイッチ１４の監視の他、音声出力機能のオン／オフを制御するためのステータス信号Ｃ１を監視する監視処理を実行する。
【００３９】
ユーザは、オーディオプレーヤ２５から出力される音声信号を、パーソナルコンピュータ１０の音声出力機能４を利用して、スピーカ１８から出力させようとする場合、ケーブル２６のプラグ２７をラインイン端子１９に挿入することにより、パーソナルコンピュータ１０とオーディオプレーヤ２５とを接続する。そして、オーディオプレーヤ２５の再生ボタンを押すなどして、音楽等の再生を開始させる。
【００４０】
スイッチ５２は、プラグ２７がラインイン端子１９に挿入されたことを検出したことを示すＬｏｗ信号を判定回路５６に出力する。また、検出回路５５は、プラグ２７がラインイン端子１９に挿入されたことにより、オーディオプレーヤ２５と電気的に接続される。検出回路５５は、ラインイン端子１９とグランド間のインピーダンスの変化からオーディオプレーヤ２５が接続されたことを検出する。
【００４１】
さらに、検出回路５５は、オーディオプレーヤ２５において音楽等が再生されることにより、設定レベル以上のオーディオ信号が入力されたことを検出すると、判定回路５６への信号をＨｉｇｈ信号からＬｏｗ信号に切り替える。
【００４２】
判定回路５６は、スイッチ５２からプラグ２７が接続されたことを示すＬｏｗ信号が入力され、検出回路５５からオーディオプレーヤ２５が接続され、かつオーディオ信号が入力されたことを示すＬｏｗ信号が入力されると、ＥＣ／ＫＢＣ４５に対して音声出力機能を動作させるためのステータス信号Ｃ１（Ｌｏｗ信号）を出力する。
【００４３】
ＥＣ／ＫＢＣ４５は、ステータス信号Ｃ１がＬｏｗ信号となったことを検知すると、音声出力機能を動作させるための処理を実行する。
【００４４】
まず、ＥＣ／ＫＢＣ４５は、ミュート信号Ｃ３によりスピーカアンプ５４をミュート状態にしておく。すなわち、スピーカアンプ５４への電源投入時やアナログスイッチ５３の切り替え時にノイズが発生するため、スピーカアンプ５４によりスピーカ１８から音が出力されないようにしておく。
【００４５】
スピーカアンプ５４をミュート状態にした後、ＥＣ／ＫＢＣ４５は、電源回路４６に対してスピーカアンプ５４及びオーディオコーデック５０に対して電源供給をオンするように指示する。すなわち、パーソナルコンピュータ１０を非稼働状態にしたままで、音声出力機能に関係するスピーカアンプ５４とアナログスイッチ５３が動作できるようにする。
【００４６】
オーディオコーデック５０は、プログラムによって制御されるため、システムステートＳ３，Ｓ４，Ｓ５では動作しない。このため、ＥＣ／ＫＢＣ４５は、セレクト信号Ｃ２によりアナログスイッチ５３を制御して、ラインイン端子１９から入力されたアナログ音声信号がオーディオコーデック５０をバイパスしてスピーカアンプ５４へ伝わるように経路を切り替える。
【００４７】
ＥＣ／ＫＢＣ４５は、アナログスイッチ５３の切り替えが終わった後に、ミュート信号Ｃ３により、スピーカアンプ５４のミュート状態を解除する。
【００４８】
オーディオプレーヤ２５において例えば音楽が再生されることにより入力されるオーディオ信号は、ラインイン端子１９、検出回路５５アナログスイッチ５３を通じてスピーカアンプ５４に入力される。スピーカアンプ５４は、電源回路４６により電源が供給されているため、アナログ音声信号を増幅して、スピーカ１８から音楽が出力させることができる。この時、パーソナルコンピュータ１０は、音声出力機能に関係しないモジュールに対しては電源供給していない。このため、パーソナルコンピュータ１０の消費電力は、電源オン状態にある場合よりも大幅に少なくすることができる。
【００４９】
音声出力機能の動作中において、ラインイン端子１９からプラグ２７が抜かれた場合には、スイッチ５２から判定回路５６への検出信号が接続無しを示すため、判定回路５６は、音声出力機能をオフさせるステータス信号Ｃ１（Ｈｉｇｈ信号）をＥＣ／ＫＢＣ４５に出力する。
【００５０】
また、プラグ２７がラインイン端子１９に装着されたままで、ケーブル２６からオーディオプレーヤ２５が取り外された場合、検出回路５５は、インピーダンスの変化からオーディオプレーヤ２５が接続されていないことを検出する。この場合、検出回路５５は、判定回路５６に対してＨｉｇｈ信号を出力する。従って、判定回路５６は、音声出力機能をオフさせるステータス信号Ｃ１（Ｈｉｇｈ信号）をＥＣ／ＫＢＣ４５に出力する。
【００５１】
また、検出回路５５は、オーディオプレーヤ２５が接続された状態において、ラインイン端子１９から入力されているオーディオ信号が、予め決められた設定レベル以上でない時間が、一定時間以上経過した場合、判定回路５６に対してＬｏｗ信号からオーディオ信号の入力がないことを示すＨｉｇｈ信号に切り替える。従って、判定回路５６は、音声出力機能をオフさせるステータス信号Ｃ１（Ｈｉｇｈ信号）をＥＣ／ＫＢＣ４５に出力する。
【００５２】
すなわち、検出回路５５は、ラインイン端子１９から入力されるオーディオ信号のレベルが設定レベル以上であった場合には、判定回路５６に対してＬｏｗ信号を出力して、直ちに音声出力機能を動作可能にする。また、検出回路５５は、音声出力機能が動作されている場合には、一定時間以上とならない短い時間内でオーディオ信号のレベルが設定レベル未満となったとしても、Ｌｏｗ信号を出力しないため音声出力機能を停止させない。
【００５３】
例えば、オーディオプレーヤ２５により再生される音楽において、短時間で音声の出力レベルが低くなる部分が含まれていたとしても、この出力レベルの低下に合わせて音声出力機能のオン／オフが頻繁に切り替えられないようにする。検出回路５５のオーディオ信号のレベルを判定するための一定時間は、予め検出回路５５において設定されているものとする。
【００５４】
なお、前述した説明では、検出回路５５は、オーディオ信号のレベルが設定レベル以上でない時間が、一定時間以上経過しているかを判定しているが、オーディオ信号が設定レベル以上であるか否かに応じて、判定回路５６に対してＬｏｗ信号とＨｉｇｈ信号を出力するようにしても良い。この場合、ＥＣ／ＫＢＣ４５は、判定回路５６から出力されるステータス信号Ｃ１がＨｉｇｈ信号からＬｏｗ信号に変化してから一定時間が経過した場合に、音声出力機能を停止させるように動作する。これにより、ステータス信号Ｃ１の切り替えに応じて音声出力機能のオン／オフが頻繁に切り替えられないようにできる。
【００５５】
なお、ＥＣ／ＫＢＣ４５において、ステータス信号Ｃ１がＨｉｇｈ信号からＬｏｗ信号に変化してからの時間が一定時間を経過したか判定する場合、この一定時間をユーザが設定できるようにしても良い。例えば、パーソナルコンピュータ１０の稼働時に、ユーティリティプログラムやＢＩＯＳセットアップ等の設定プログラムを実行して、ユーザから音声出力機能をオフさせるまでの一定時間を指定させる。この設定プログラムにより設定された一定時間を示すデータは、パーソナルコンピュータ１０が非稼働状態となる前にＥＣ／ＫＢＣ４５の不揮発性メモリに記憶させておく。ＥＣ／ＫＢＣ４５は、この記憶されたデータをもとに、ステータス信号Ｃ１がＨｉｇｈ信号からＬｏｗ信号に変化してからの時間が一定時間を経過したかを判定して、音声出力機能のオン／オフを制御する。
【００５６】
ＥＣ／ＫＢＣ４５は、判定回路５６からのステータス信号Ｃ１がＨｉｇｈ信号になると音声出力機能を停止させるための処理を実行する。
【００５７】
ＥＣ／ＫＢＣ４５は、音声出力機能を停止させる場合、ミュート信号Ｃ３によりスピーカアンプ５４をミュート状態にする。
【００５８】
スピーカアンプ５４をミュート状態にした後、ＥＣ／ＫＢＣ４５は、セレクト信号Ｃ２によりアナログスイッチ５３を制御して、オーディオコーデック５０側に切り替えて、ラインイン端子１９から入力されたアナログ音声信号がオーディオコーデック５０を介してスピーカアンプ５４へ伝わるように経路を切り替える。
【００５９】
その後、ＥＣ／ＫＢＣ４５は、電源回路４６に対してスピーカアンプ５４及びアナログスイッチ５３への電源供給をオフさせる。ＥＣ／ＫＢＣ４５は、電源供給の切り替えが完了した後、ミュート信号Ｃ３により、スピーカアンプ５４のミュート状態を解除する。
【００６０】
こうして、本実施形態におけるパーソナルコンピュータ１０では、非稼働状態（システムステートＳ３，Ｓ４，Ｓ５）において、ラインイン端子１９にプラグ２７が挿入され、かつラインイン端子１９を介して接続されたオーディオプレーヤ２５から設定レベル以上のオーディオ信号が入力されている場合に音声出力機能がオンされる。
【００６１】
これにより、単にラインイン端子１９にプラグ２７（ケーブル２６）が挿入されただけでは、音声出力機能が動作されないので、音声信号を出力するオーディオプレーヤ２５が接続されていないにもかかわらず、スピーカアンプ５４への電源供給がオンされて不要な電力を消費してしまうことを回避できる。また、プラグ２７を介してケーブル２６のみが接続されている場合に（オーディオプレーヤ２５がケーブル２６から外されている場合）は、ケーブル２６のオーディオプレーヤ２５と接続するための金属端子が露出されている。この金属端子にユーザが手で触れる等しても、音声出力機能が動作されていないため不快なノイズをスピーカ１８から出力されることもない。
【００６２】
また、ラインイン端子１９にオーディオプレーヤ２５を接続するためのケーブル２６以外のプラグ、例えばヘッドフォンやマイクロフォンを接続するためのプラグが挿入されていたとしても、ラインイン端子１９から入力されるオーディオ信号が設定レベル以上でなければ音声出力機能を動作させないので、音声出力機能が不要な状況での無駄な電力の消費を回避することができる。
【００６３】
なお、前述した説明では、ＥＣ／ＫＢＣ４５が音声出力機能を動作させる条件として、判定回路５６から出力されるステータス信号Ｃ１がＬｏｗ信号となる場合としているが、必ずしもＬｏｗ信号とする必要は無く、ＥＣ／ＫＢＣ４５の仕様に応じて決定すれば良い。ただし、検出回路５５や判定回路５６の機能についてもＥＣ／ＫＢＣ４５の仕様に合わせて決められるものとする。
【００６４】
また、前述した説明では、ＥＣ／ＫＢＣ４５は、判定回路５６から出力されるステータス信号Ｃ１に応じて音声出力機能のオン／オフを制御しているが、前述した検出回路５５と判定回路５６と同等の機能モジュールを有する構成にして、この機能モジュールの判定結果に基づく監視処理を実行するようにしても良い。この場合、ＥＣ／ＫＢＣ４５には、ラインイン端子１９を介して入力された音声信号を入力するための信号線が接続され、スイッチ５２からの検出信号を入力するための信号線が接続されるものとする。
【００６５】
図４は、ＥＣ／ＫＢＣ４５において監視処理を実行する場合の動作を示すフローチャートである。  
ＥＣ／ＫＢＣ４５は、パーソナルコンピュータ１０が非稼働状態に移行すると（システムステートＳ３，Ｓ４，Ｓ５）、監視処理を開始する。ＥＣ／ＫＢＣ４５は、非稼働時においても電源供給されており、パワーボタンスイッチ１４の監視の他、音声出力機能を動作させる状態にあるかを、スイッチ５２からの検出信号、及びラインイン端子１９を介して入力される信号をもとに判定する。
【００６６】
ＥＣ／ＫＢＣ４５は、スイッチ５２からの検出信号からラインイン端子１９にプラグ２７の挿入がない場合（ステップＡ１、Ｎｏ）、音声出力機能を動作させず、電源回路４６にスピーカアンプ５４への電源供給をオフさせる（ステップＡ５）。
【００６７】
また、ラインイン端子１９にプラグ２７が挿入されていることが検出された場合（ステップＡ１、Ｙｅｓ）、ＥＣ／ＫＢＣ４５は、ラインイン端子１９を介して入力される信号線とグランド間のインピーダンスをもとに、ラインイン端子１９を介して外部機器（オーディオプレーヤ２５）が接続されているか判別する。外部機器が接続されていないと判別された場合、ＥＣ／ＫＢＣ４５は、音声出力機能を動作させず、電源回路４６にスピーカアンプ５４への電源供給をオフさせる（ステップＡ５）。
【００６８】
さらに、ラインイン端子１９へのプラグ２７の挿入があり、かつラインイン端子１９を介して外部機器（オーディオプレーヤ２５）が接続されていると判別された場合、ＥＣ／ＫＢＣ４５は、ラインイン端子１９を介して入力されるオーディオ信号が設定レベル以上であるか判別する。
【００６９】
オーディオ信号が設定レベル以上でないと判別された場合（ステップＡ３、Ｎｏ）、ＥＣ／ＫＢＣ４５は、音声出力機能を動作させず、電源回路４６にスピーカアンプ５４への電源供給をオフさせる（ステップＡ５）。
【００７０】
一方、オーディオ信号が設定レベル以上であると判別された場合（ステップＡ３、Ｙｅｓ）、ＥＣ／ＫＢＣ４５は、音声出力機能を動作させる。すなわち、ＥＣ／ＫＢＣ４５は、セレクト信号Ｃ２によりアナログスイッチ５３を制御して音声信号の経路を切り替え、スピーカアンプ５４への電源供給がオンされるように電源回路４６を制御する。なお、音声出力機能を動作させるための処理については、前述と同様にして実行されるものとして詳細な説明を省略する。
【００７１】
このようにして、ＥＣ／ＫＢＣ４５に検出回路５５と判定回路５６と同様の機能モジュールを設けることにより、前述と同様の作用効果を得ることが可能となる。
【００７２】
また、図１に示すブロック図においては、オーディオコーデック５０とスピーカアンプ５４とが独立して設けられているが、オーディオコーデック５０にスピーカアンプ５４のアンプ機能を一体化させた構成としても良い。この場合、非稼働状態において音声出力機能が動作される場合に、電源回路４６の制御によりオーディオコーデック５０への電源供給がオンされる。オーディオコーデック５０は、非稼働状態において、ラインイン端子１９を介して入力された音声信号を入力して、アンプ機能により増幅してスピーカ１８に出力する。
【００７３】
また、前述した実施形態では、電子機器としてパーソナルコンピュータ１０を用いた例を示しているが、その他のスピーカを有し、オーディオプレーヤ２５等の外部機器からの音声信号を入力可能な電子機器を用いることも可能である。
【００７４】
また、前述した実施形態は、そのままに限定されるものではなく、実施段階ではその要旨を逸脱しない範囲で構成要素を変形して具体化できる。また、上記実施形態に開示されている複数の構成要素の適宜な組み合わせにより種々の実施形態を形成できる。例えば、実施形態に示される全構成要素から幾つかの構成要素を削除してもよい。更に、異なる実施形態に構成要素を適宜組み合わせてもよい。
【符号の説明】
【００７５】
１０…パーソナルコンピュータ、１１…コンピュータ本体、１７…ＬＣＤ、１８…スピーカ、１９…ラインイン端子、３０…ＣＰＵ、３２…メインメモリ、４２…ＢＩＯＳ−ＲＯＭ、４５…ＥＣ／ＫＢＣ、４６…電源回路、５０…オーディオコーデック、５２…スイッチ、５３…アナログスイッチ、５４…スピーカアンプ、５５…検出回路、５６…判定回路。
【図１】
2011233973.tif 000003
【図２】
2011233973.tif 000004
【図３】
2011233973.tif 000005
【図４】
2011233973.tif 000006